(57)【要約】  固定水平支持パネル（２０）を有する関節式ベッド構造で使用されるコンパクトなカートリッジファンシステムは、固定水平支持パネルの受入開口（２９）に係合されるように適合されたフレーム（２６）を含む。カートリッジ（３０）は、フレームの開口（２８）に取り外し可能に受け入れられる。カートリッジは、ボックスファン（５０）及びコネクタ取付部（４０）を含むケース（３４）を有する。コネクタ（４２）は、コネクタ取付部で係合されて、固定支持パネル上に支持されたマットレスベース（６２）を通して受けられるように適合されている。【選択図】図８
2021529591.tif 000002
【特許請求の範囲】
【請求項１】
固定水平支持パネル（２０）を有する関節式ベッド構造（１０）で使用するためのコンパクトなカートリッジファンシステムであって、
前記固定水平支持パネル（２０）の受入開口（２９）に係合されるように適合されたフレーム（１２）と、
前記フレームの受入開口に取り外し可能に受け入れられるカートリッジ（３０）であって、ボックスファン（５０）を含むケース（３４）とコネクタ取付部（４０）とを有する、カートリッジと、
前記コネクタ取付部に係合されて、前記固定支持パネル上に支持されたマットレスベース（６２）を通して受けられるように適合されたコネクタ（４２）と、を備えるコンパクトなカートリッジファンシステム。
【請求項２】
前記ケースが、前記フレームに受けられる少なくとも１つの弾性係合要素（３６）及び上部フランジ（３８）を有する、請求項１に記載のコンパクトなカートリッジファンシステム。
【請求項３】
前記ケースが、入口開口（４８）を囲む係合スロット（４６）に受け入れられるフィルタ（４４）を組み込んでいる、請求項２に記載のコンパクトなカートリッジファンシステム。
【請求項４】
前記入口開口と前記ボックスファンとの間に挿入された圧電冷却／加熱要素（５２）をさらに備え、前記入口開口から入る空気が流れる複数の流路（５４）を有する前記圧電冷却／加熱要素が、第１の運転状態において冷却若しくは加熱される、又は、第２の運転状態において単に分配のために前記ボックスファンに移行される、請求項３に記載のコンパクトなカートリッジファンシステム。
【請求項５】
前記コネクタが、前記コネクタ取付部に受けられるように適合された取付リング（５８）と、前記マットレスベース（６２）の上面を係合するように適合された頂部フランジ（６０）とを有する、請求項４に記載のコンパクトなカートリッジファンシステム。
【請求項６】
前記コネクタが可撓性コルゲートチューブである、請求項５に記載のコンパクトなカートリッジファンシステム。
【請求項７】
前記コネクタが円筒形である、請求項６に記載のコンパクトなカートリッジファンシステム。
【請求項８】
前記フレームが、前記受入開口の周囲にわたって延在するように適合された上部リップ（７０）を含み、前記上部リップ（７０）が、ネジ又は他の締結具が前記フレームを前記支持部に固定するために受け入れられる穴（７２）を有し、前記フレームが、前記カートリッジを密接に受け入れて、前記カートリッジを前記フレームで支持するために前記上部フランジを係合するように適合された周辺底部ウェブ（７４）をさらに含む、請求項６に記載のコンパクトなカートリッジファンシステム。
【請求項９】
前記ケースが、前記ボックスファンを取り外し可能に係合するために、第２の半部（３５ｂ）を分離可能に受けるように適合された第１の半部（３５ａ）を備える、請求項８に記載のコンパクトなカートリッジファンシステム。
【請求項１０】
前記フィルタが、前記フレームから前記カートリッジを分解する又は取り外すことなく、前記ケースの前記係合スロットから垂直に摺動することによって取り外し可能であり、前記係合スロットが前記受入開口に通じており、前記フィルタが、前記フレーム内の前記受入開口に延在するタブ（６４）を含む、請求項３に記載のコンパクトなカートリッジファンシステム。
【請求項１１】
少なくとも、支持フレーム（１２）と、水平位置から持ち上げ位置まで回転可能である上半身支持パネル（１６）と、固定水平支持パネル（２０）と、前記上半身支持パネル及び前記固定水平支持パネル上に支持されるマットレス支持ベース（６２）とを有する、関節システムと、
前記マットレス支持ベースを通して環境的に調整された空気を供給するように適合された少なくとも１つのコンパクトなカートリッジファンシステムであって、
前記固定水平支持パネルの受入開口（２９）に係合されるように適合されたフレーム（２６）と、
前記フレームの開口（２８）に取り外し可能に受け入れられるカートリッジ（３０）であって、ボックスファン（５０）を含むケース（３４）とコネクタ取付部（４０）とを有する、カートリッジと、
前記コネクタ取付部に係合されて、前記マットレスベースを通して延在するように受けられるように適合されたコネクタ（４２）と
を組み込んでいる、少なくとも１つのコンパクトなカートリッジファンシステムと、を備える関節式ベッド構造。
【請求項１２】
前記フレームが、前記受入開口の周囲にわたって延在するように適合された上部リップ（７０）を含み、前記上部リップ（７０）が、ネジ又は他の締結具が前記フレームを前記支持部に固定するために受け入れられる穴（７２）を有し、前記フレームが、前記カートリッジを密接に受け入れるように適合された周辺底部ウェブ（７４）をさらに含む、請求項１１に記載の関節式ベッド構造。
【請求項１３】
前記ケースが、少なくとも１つの弾性係合要素（３６）と、前記フレームの前記周辺底部ウェブ上に受けられる上部フランジ（３８）とを有する、請求項１２に記載の関節式ベッド構造。
【請求項１４】
前記ケースが、入口開口（４８）を囲む係合スロット（４６）に受け入れられるフィルタ（４４）を組み込んでいる、請求項１３に記載の関節式ベッド構造。
【請求項１５】
前記フィルタが、前記フレームから前記カートリッジを分解する又は取り外すことなく、前記ケースの前記係合スロットから垂直に摺動することによって取り外し可能であり、前記係合スロットが前記受入開口に通じており、前記フィルタが、前記フレーム内の前記受入開口に延在するタブ（６４）を含む、請求項１４に記載の関節式ベッド構造。
【請求項１６】
前記入口開口と前記ボックスファンとの間に挿入された圧電冷却／加熱要素（５２）をさらに備え、前記入口開口から入る空気が流れる複数の流路（５４）を有する前記圧電冷却／加熱要素が、第１の運転状態において冷却若しくは加熱される、又は、第２の運転状態において単に分配のために前記ボックスファンに移行される、請求項１４に記載の関節式ベッド構造。
【請求項１７】
前記コネクタが、前記コネクタ取付部に受けられるように適合された取付リング（５８）と、前記マットレスベースの上面を係合するように適合された頂部フランジ（６０）とを有する、請求項１６に記載の関節式ベッド構造。
【請求項１８】
前記マットレスベースの上部に受けられる流れ分配パッド（７８）をさらに備え、前記流れ分配パッドが、前記マットレスベースを通して延在する前記コネクタ上に位置付けられた空気入口（８０）を有する、請求項１７に記載の関節式ベッド構造。
【請求項１９】
前記流れ分配パッドが、前記空気入口と流れ接続し、前記流れ分配パッドを通して延在する複数の流路（８２）をさらに組み込んでおり、前記複数の流路が、前記流れ分配パッドの表面にわたって分布する空気出口（８４）で終了しており、それによって、前記第１の運転状態の加熱若しくは冷却された空気、又は、前記カートリッジからの前記第２の運転状態の周囲空気を提供する、請求項１８に記載の関節式ベッド構造。
【発明の詳細な説明】
【技術分野】
【０００１】
[1]  本発明は一般に、関節式ベッドの分野に関し、より詳細には、ベッドの水平支持部における密接な係合のためのコンパクトなカートリッジファンシステムを有する関節式ベッドのための環境制御システムに関する。
【背景技術】
【０００２】
[2]  関節式ベッドは、患者をリクライニング姿勢、座った姿勢、脚を上げた姿勢、又はこれらを組み合わせた姿勢にすることを可能にするために、病院及び医療施設で長い間使用されてきた。読書、全身のリラックス又は睡眠のためにベッドを所望の位置に調節することから得られる快適さ及び便利さゆえに、関節式ベッドの一般的な利用が急速に進んでいる。典型的な関節式ベッドは、上半身を位置付ける要素並びに大腿及び下肢を位置付ける要素を個別に動かす、又は組み合わせて作動させる。
【０００３】
[3]  関節式ベッドで通常、採用される新しいフォームマットレスは、就寝中、占有者の過熱、又は、特定の場面においては、占有者の過冷を引き起こす。環境制御システムは、マットレスを冷却若しくは加熱して、又は、加熱若しくは冷却された空気流を提供して、快適な睡眠状態を維持するために導入されている。しかしながら、現代の寝具の設計は、厚さ形状を低減する必要があり、補助構成要素の移動を低減することが好ましい。
【０００４】
[4]  したがって、ベッドの関節システムの作動への影響が最小限である環境制御システムを有する関節式ベッドを提供することが望ましい。
【発明の概要】
【０００５】
[5]  本明細書に開示される実施形態は、固定水平支持パネルを有する関節式ベッド構造で使用するためのコンパクトなカートリッジファンシステムを提供することによって、先行技術の欠点を克服する。システムは、固定水平支持パネルの受入開口に係合されるように適合されたフレームを含む。カートリッジは、フレームの受入開口に取り外し可能に受け入れられる。カートリッジは、ボックスファン及びコネクタ取付部を含むケースを有する。コネクタは、コネクタ取付部に係合され、固定支持パネル上に支持されたマットレスベースを通して受けられるように適合されている。
【０００６】
[6]図面の簡単な説明
[7]  本発明のこれらの特徴及び利点並びに他の特徴及び利点は、添付の図面に関連して考慮されるときに、以下の例示的な実施形態の詳細な説明を参照することにより、よりよく理解されるであろう。
【図面の簡単な説明】
【０００７】
【図１】本明細書に説明される実施態様が採用されてもよい関節式ベッドシステムの上部の図形表示である。
【図２】カートリッジが組み付けられた図１の関節式ベッドシステムの下部の図形表示である。
【図３】固定座支持部に組み付けられるフレーム、カートリッジ、及びコネクタの上部の図形表示である。
【図４】フレーム、カートリッジ、及びコネクタの側面図である。
【図５】フレーム及びカートリッジの底面図である。
【図６】フレーム、カートリッジ、及びコネクタの上部頭端の図形表示である。
【図７】フレーム、カートリッジ、及びコネクタの上部足端の図形表示である。
【図８】カートリッジファンシステムの要素の分解図形表示である。
【図９】関節式ベッドシステム及びマットレスベースの側部部分断面図であり、組み付けられたカートリッジファンシステムを示す。
【図１０】関節式ベッドシステム及びマットレスベースの図形の詳細断面図であり、組み付けられたカートリッジファンシステムを示す。
【図１１】固定座支持部に組み付けられたフレームの詳細部分断面図である。
【図１２】頭支持部が折り曲げられた位置にある関節式ベッドの側面図である。
【図１３】頭支持部が折り曲げられた位置にある関節式ベッドの側面図であり、流路を有し、カートリッジファンシステムのコネクタと相互接続した例示的なマットレス上側パッドを仮想線で示す。
【発明を実施するための形態】
【０００８】
[21]  図面に示されて、本明細書で説明される実施態様は、関節式ベッド構造に簡単に一体化されるコンパクトなカートリッジファンシステムを提供する。カートリッジファンシステムは、関節構造体の固定水平支持パネルに係合される。フレームは、望ましいカートリッジごとに、水平固定支持要素の開口を通して挿入される。示されて、本明細書で説明される実施態様では、２つのカートリッジが採用されているが、代替的な実施態様においてはより多くのカートリッジが使用されてもよい。弾性係合要素を有するケースに支持されたボックスファン及びフィルタブラケットを組み込むカートリッジは、フレームに受け入れられ、関節式ベッド構造の構造要素と作動要素との中間の固定水平支持要素から垂下する。ケースは、ファンと流れ連通し、縦型コネクタに受けられるコネクタ取付部を組み込む。コネクタは、固定水平支持パネルの上に載るマットレスベースの嵌合開口を通って突出する。ファンによってカートリッジに吸い込まれた空気は、フィルタエレメント、コネクタ取付部、及びコネクタを通って流れて、周囲の空気流れを分配する。圧電冷却及び加熱ブロックは、フィルタエレメントとボックスファンとの中間に位置付けられ、入ってくる空気を、カートリッジからの分配前に冷却又は加熱する。
【０００９】
[22]  図面の図１は、コンパクトなカートリッジファンシステムの例示的な実施態様が採用されてもよい例示的な関節式ベッド構造１０を示す。関節式ベッド構造１０は、脚部１４によって支持されたフレーム１２を組み込んでいる。上半身支持パネル１６は、第１の水平座支持部１８に、枢動可能に取り付けられている。上半身支持パネルは、後で説明されるように、支持されたマットレスの一部を持ち上げるために関節でつながれてもよい。特定の関節式ベッド構造１０については、その開示が参照によって本明細書に組み込まれる、２０１８年２月１３日に出願された「ＥＬＥＣＴＲＩＣ」と題される米国特許出願第１５／７５２，５７８号に開示されているような壁密着効果を提供するために、第１の水平座支持部及び上半身支持パネルは並進キャリッジ上に実装される。固定水平支持パネル２０は、フレーム１２に取り付けられている。大腿支持パネル２２は、関節として固定水平支持パネルに枢動可能に取り付けられ、下腿支持パネル２４は、大腿支持パネルに枢動可能に取り付けられている。大腿及び下腿支持パネルの関節は、当該技術分野においてよく知られているように実現されてもよい。
【００１０】
[23]  それぞれのコンパクトなカートリッジファンシステムのために、中央開口２８を有するフレーム２６は、固定水平支持パネル２０の適切に寸法決めされた受入開口２９を通して挿入される。図２で参照されるように、カートリッジ３０は、フレーム２６に挿入されて、フレーム２６から垂下する。カートリッジ３０は、フレーム要素の間の、支持パネルの下の開放容積に、上半身パネルアクチュエータ組立体３２などの関節構造要素と隙間を有して静止するように、フレーム２６によって位置付けられる。頭端フレーム要素１３ａ及び足端フレーム要素１３ｂと平行に整列する例示的な実施態様として示されているが、カートリッジ３０及び関連するフレーム２０は、サイドフレーム要素１３ｃと平行に向けられてもよい。
【００１１】
[24]  図３で参照されるように、カートリッジ３０は、フレーム２６に受け入れられる少なくとも１つの弾性係合要素３６及び上部フランジ３８を有するケース３４を有する。コネクタ取付部４０は、（図２で参照される）マットレスベース６２を通して流れを分配するコネクタ４２を受けるように適合されている。カートリッジファンシステムの詳細は、図４〜７で参照される。ケース３４は、入口開口４８を囲む係合スロット４６に受け入れられる、（明瞭さのためにフィルタ要素なしで、支持マトリックス又はブラケットとしてのみ示されている）フィルタ４４を組み込む。カートリッジ３０の内部要素を示す図８で参照されるように、ケース３４は、ボックスファン５０を受け入れるために、両半分３５ａ及び３５ｂに分けられる。圧電冷却／加熱要素５２は、入口開口４８とボックスファン５０との間に挿入される。圧電冷却／加熱要素５２は、入口開口４８から入る空気が、（作動中の要素によって）冷却若しくは加熱されるために流れる、又は、単に分配のためにボックスファンに移行されるために流れる、複数の流路５４を有する。ボックスファン出口５６は上方へ向けられ、ケース３４の上部のコネクタ取付部４０との流れ連通のために一直線に並べられる。コネクタ４２は、コネクタ取付部４０に受けられるように適合された取付リング５８を有する。例示的な実施態様では略円筒形ものとして示されているが、コネクタ４２及びコネクタ取付部４０によって作成される流れ導管は、他の幾何学的断面形状を有してもよい。コネクタは、後で詳細に説明される、マットレスベース６２の上面を係合するために採用される頂部フランジ６０をさらに有する。
【００１２】
[25]  フィルタ４４は、フレームからカートリッジを分解する又は取り外すことなく、ケース３４の係合スロット４６から垂直に摺動することにより、クリーニング又は交換のために、簡単に取り外し可能である。係合スロット４６は、開口２８に通じており、フレーム２６内の開口２８に延在するタブ６４が、挿入及び除去を容易にするために設けられている。ボックスファン５０及び圧電冷却及び加熱要素５２のための電力コネクタ６５は、ケースの側面の電気接続ポート６６に設けられている。ファン及び圧電冷却／加熱要素の電気的接続は、従来のものであり、明瞭にするために示されていない。
【００１３】
[26]  図９及び図１０で参照されるように、カートリッジ３０は、フレーム２６に支持されて、関節式ベッド構造内の開放容積に垂下する。カートリッジ３０は、支持パネル１６、１８、２０、２２、及び２４上へのマットレスベース６２の配置の前に、フレーム２６に取り外し可能に挿入される。カートリッジ３０は、弾性係合要素３６をはずして、フレーム２６で開口２８を通して上向きにカートリッジを持ち上げることによって、フレーム２６から簡単に取り外すことも可能である。図１１で参照されるように、フレーム２６は、固定水平支持部２０の受入開口２９に係合される。フレーム２６は、受入開口２９の周囲にわたって延在する上部リップ７０を含み、上部リップ７０は、ネジ又は他の締結具がフレームを支持部に固定するために受け入れられる穴７２を有する。フレーム２６は、カートリッジ３０を密接に受け入れて、カートリッジをフレームで支持するために上部フランジ３８を係合するように適合された（図５でも参照される）周辺底部ウェブ７４をさらに含む。ウェブ７４の逃げ７６は、前述のとおり挿入及び除去のために、フィルタ４４を露出させる。
【００１４】
[27]  図９及び図１０に戻ると、コネクタ４２は、例示的な実施態様については、名目上、マットレスベース６２の厚さに適合するように寸法決めされた螺旋状コルゲートチューブであるが、組み付け中、マットレスベース６２が関節式ベッド構造の支持パネル上に置かれたときに、取付リング５８をコネクタ取付部４０に簡単に挿入することができる柔軟な延長が可能である。コネクタの頂部フランジ６０は、マットレスベース６２の上面６８に固定されるように適合されている。
【００１５】
[28]  図１２及び図１３で参照されるように、マットレスベース６２の頭部分を上昇させる上半身支持パネル１６の関節は、固定水平支持部２０上のマットレスベースにおける作成されていない実質的な運動を行う。小さな移動は、コネクタ４２のたわみ波形によって対応することができる。図１３において例示的で概念的なの実施態様として仮想線で示されている流れ分配パッド７８は、マットレスベース６２の上部に受けられる。流れ分配パッド７８の空気入口８０は、マットレスベース６２を通して延在するコネクタ４２上に位置付けられる。空気入口８０と流れ接続する複数の流路８２は、流れ分配パッド７８を通って延在し、流れ分配パッドの表面上に分布する空気出口８４で終了し、コンパクトなカートリッジファンシステムからの加熱された空気、冷却された空気、又は周囲の空気を提供する。
【００１６】
[29]  ここでは特許法によって必要とされる本発明のさまざまな実施形態を詳細に説明したが、当業者には本明細書に開示された特定の実施形態の修正及び置換が認識されるであろう。このような修正は、以下の特許請求の範囲に定義されるような本発明の範囲及び意図の範囲内に収まる。
【図１】
2021529591.tif 000003
【図２】
2021529591.tif 000004
【図３】
2021529591.tif 000005
【図４】
2021529591.tif 000006
【図５】
2021529591.tif 000007
【図６】
2021529591.tif 000008
【図７】
2021529591.tif 000009
【図８】
2021529591.tif 000010
【図９】
2021529591.tif 000011
【図１０】
2021529591.tif 000012
【図１１】
2021529591.tif 000013
【図１２】
2021529591.tif 000014
【図１３】
2021529591.tif 000015
【国際調査報告】
2021529591.tif 000016
2021529591.tif 000017